(57)【要約】【課題】エアフィルターの支持枠への装着を確実にして、エアフィルターが支持枠から浮きあがったりすることの無い空気調和機のフィルター装置を提供する。【解決手段】熱交換器（図示せず）を通過する空気中の埃を除去すると共に左右上端に係止部３５を有するエアフィルター２を支持する支持枠１と、エアフィルター２の上流側の表面に沿って移動してその表面の埃を吸引する吸引ノズル３と、吸引ダクト５を介して吸引ノズル３に接続され埃を吸引する吸引装置６からなり、支持枠１に複数のフィルター押さえ２５ａ〜２５ｃを設けて前面上部から天面に繋がるレール部２８ａ〜２８ｃを形成し、係止部３５とレール部２８ａ〜２８ｃが係合するもので、係止部３５が常にレール部２８ａ〜２８ｃに収まり支持枠１への装着が確実にできるので、エアフィルター２が支持枠１から浮きあがり、吸引ノズル３の左右への移動が困難になったりすることがない。【選択図】図６
2011158215.tif 000002
【特許請求の範囲】
【請求項１】
熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠に複数のフィルター押さえを設けて前面上部から天面に繋がるレール部を形成し、前記係止部と前記レール部が係合することを特徴とする空気調和機のフィルター装置。
【請求項２】
熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠にスリット形状の溝形状部を一体に設けてレール部を形成し、前記係止部と前記レール部が係合することを特徴とする空気調和機のフィルター装置。
【請求項３】
係止部を、エアフィルターの先端よりも前方に位置し、前記エアフィルターの側面から外側に突き出した円柱体で形成したことを特徴とする請求項１又は２に記載の空気調和機のフィルター装置。
【発明の詳細な説明】
【技術分野】
【０００１】
本発明は、空気調和機などに搭載され、エアフィルターの清掃を自動的に行うようにした空気調和機のフィルター装置に関するものである。
【背景技術】
【０００２】
従来、空気調和機内の熱交換器の前面には、空気調和機の本体内部へ埃が侵入することを防ぐためのエアフィルターが設けられており、このエアフィルターは、付着した埃を手で清掃できるように着脱自在に構成されている。このように構成されたエアフィルターは、頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、エアフィルターのメンテナンスの手間を低減する目的で、エアフィルターに付着した埃を自動で吸引清掃することができるようにした空気調和機のフィルター装置が提案されている（例えば、特許文献１参照）。
【先行技術文献】
【特許文献】
【０００４】
【特許文献１】特開２００６−１４５２０８号公報
【発明の概要】
【発明が解決しようとする課題】
【０００５】
しかしながら、上記特許文献１に記載されたような従来の空気調和機のフィルター装置の構成では、エアフィルターに付着した埃を吸引ノズルから吸引して、吸い込みダクト、吸引排気装置を経由して室外へ排出するという方式であるため、吸引ノズルをエアフィルターに近接して配置させてその表面を左右に移動させる必要があり、そのとき、エアフィルターが所定位置に確実に装着されていない（たとえば、エアフィルターがフィルタ枠から浮きあがった状態）と吸引ノズルとエアフィルターの一部が干渉して吸引ノズルの左右への移動が困難となり、故障してしまうという課題があった。
【０００６】
また、エアフィルターは、単にフィルタ枠に置くか簡単な爪等で装着されているだけのため、その装着不備は、空気調和機の輸送時の荷扱い不備や、設置時の不備、またエアフィルターの表面の埃が除去しきれなかったときのエアフィルターメンテナンス時に容易に発生していた。
【０００７】
本発明は、上記従来の課題を解決するもので、エアフィルターの支持枠への装着を確実にすることができ、エアフィルターが支持枠から浮きあがった状態などの装着不備がなくなり、吸引ノズルとエアフィルターの一部が干渉して吸引ノズルの左右への移動が困難になることもなく、故障することもない空気調和機のフィルター装置を提供することを目的とする。
【課題を解決するための手段】
【０００８】
前記従来の課題を解決するため、本発明の空気調和機のフィルター装置は、熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠に
複数のフィルター押さえを設けて前面上部から天面に繋がるレール部を形成し、前記係止部と前記レール部が係合するもので、エアフィルターの係止部が常に支持枠に設けたレール部に収まった状態となりエアフィルターの支持枠への装着が確実にできるので、エアフィルターが支持枠から浮きあがったり、吸引ノズルとエアフィルターの一部が干渉して吸引ノズルの左右への移動が困難になったり、故障することもない。
【０００９】
また、本発明の空気調和機のフィルター装置は、熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠にスリット形状の溝形状部を一体に設けてレール部を形成し、前記係止部と前記レール部が係合するもので、エアフィルターの係止部が常に支持枠の各溝形状部に収まった状態となりエアフィルターの支持枠への装着が確実にできるばかりでなく、支持枠そのものにレール部が一体で形成されているので余分な部品が不要で、安価となる。
【発明の効果】
【００１０】
本発明の空気調和機のフィルター装置は、エアフィルターの支持枠への装着を確実にすることができて、エアフィルターが支持枠から浮きあがった状態などの装着不備がなくなり、吸引ノズルとエアフィルターの一部が干渉して吸引ノズルの左右への移動が困難になることもなくて故障となることもない。そのためフィルター装置を搭載した空気調和機の信頼性が向上する。
【図面の簡単な説明】
【００１１】
【図１】本発明の実施の形態１における空気調和機のフィルター装置の構成例を示す外観斜視図
【図２】同空気調和機のフィルター装置の吸引ノズルの構成例を示す外観斜視図
【図３】同吸引ノズルの構成例を示す断面図（図２のＡ−Ａ断面）
【図４】同吸引ノズルの構成例を示す断面図（図２のＢ−Ｂ断面）
【図５】同フィルター装置の吸引ノズルを右端に移動したときの外観斜視図
【図６】同空気調和機のフィルター装置の支持枠とエアフィルターの分解斜視図
【図７】同支持枠の右側部分の拡大図
【図８】同支持枠の右側部分の断面図（図７のＣ−Ｃ断面）
【図９】同支持枠の左側部分の拡大図
【図１０】同支持枠の左側部分の断面図（図９のＤ−Ｄ断面）
【図１１】同支持枠の中央部分の拡大図
【図１２】同支持枠の中央部分の断面図（図１１のＥ−Ｅ断面）
【図１３】同空気調和機のフィルター装置のエアフィルターの外観斜視図
【図１４】同エアフィルター要部の拡大図
【図１５】同エアフィルターの取り付け動作を示す概略図
【図１６】本発明の実施の形態２における空気調和機のフィルター装置の支持枠とエアフィルターの分解斜視図
【図１７】同支持枠の右側部分の拡大図
【図１８】同支持枠の右側部分の断面図（図１７のＦ−Ｆ断面）
【図１９】同支持枠の左側部分の拡大図
【図２０】同支持枠の左側部分の断面図（図１９のＧ−Ｇ断面）
【図２１】同支持枠の中央部分の拡大図
【図２２】同支持枠の中央部分の断面図（図２１のＨ−Ｈ断面）
【発明を実施するための形態】
【００１２】
第１の発明は、熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠に複数のフィルター押さえを設けて前面上部から天面に繋がるレール部を形成し、前記係止部と前記レール部が係合するもので、エアフィルターの係止部が常に支持枠に設けたレール部に収まった状態となりエアフィルターの支持枠への装着が確実にできるので、エアフィルターが支持枠から浮きあがったり、吸引ノズルとエアフィルターの一部が干渉して吸引ノズルの左右への移動が困難になったり、故障することもない。
【００１３】
第２の発明は、熱交換器を通過する空気中の埃を除去すると共に左右上端に係止部を有するエアフィルターと、前記エアフィルターを支持する支持枠と、前記エアフィルターの上流側の表面に沿って移動して前記エアフィルターの表面の埃を吸引する吸引ノズルと、前記吸引ノズルに接続される吸引ダクトと、前記吸引ダクトと接続され埃を吸引する吸引装置からなり、前記支持枠にスリット形状の溝形状部を一体に設けてレール部を形成し、前記係止部と前記レール部が係合するもので、エアフィルターの係止部が常に支持枠の各溝形状部に収まった状態となりエアフィルターの支持枠への装着が確実にできるばかりでなく、支持枠そのものにレール部が一体で形成されているので余分な部品が不要で、安価となる。
【００１４】
第３の発明は、特に、第１又は第２の発明の係止部を、エアフィルターの先端よりも前方に位置し、前記エアフィルターの側面から外側に突き出した円柱体で形成したもので、エアフィルターの側面に設けた係止部が、レール部内に確実に収まってエアフィルターの姿勢に係わりなく摺動性が確保されるため、エアフィルターの挿入性が向上する。
【００１５】
以下、本発明の実施の形態について、図面を参照しながら説明する。なお、この実施の形態によって本発明が限定されるものではない。
【００１６】
（実施の形態１）
本発明の実施の形態１における空気調和機のフィルター装置について、図１〜１５を用いて説明する。図１は、本実施の形態における空気調和機のフィルター装置の構成例を示す外観斜視図である。
【００１７】
図１において、空気調和機（図示せず）内に設けられた熱交換器（図示せず）を通過する空気中の埃を除去するエアフィルター２は、支持枠１に支持固定され、エアフィルター２の表面に沿って移動可能な吸引ノズル３が設けられている。吸引ノズル３は、支持枠１の上下端に設置されたガイドレール４により支持されて、エアフィルター２と極めて狭い隙間を保って円滑に左右に移動することができ、エアフィルター２上に付着した塵埃はこの吸引ノズル３より吸引される。ここで、吸引ノズル３は、支持枠１の下部に備えたワイヤー（図示せず）とモータ（図示せず）で左右に駆動されるようになっている。
【００１８】
そして、吸引ノズル３は、吸引ダクト５に連結され、また吸引ダクト５は、吸引装置６に連結される。また、吸引装置６には、室外と連通する吹出ダクト７が接続される。
【００１９】
吸引装置６の動作により埃は、エアフィルター２の表面から吸引ノズル３で吸引され、吸引ダクト５、吸引装置６、吹出ダクト７を経由して室外へ排出される。ここで、吸引ダクト５は、吸引ノズル３の左右の移動に差し支えないように、屈曲自在なダクトで形成されている。
【００２０】
次に吸引ノズル３の構成について、図２〜図４を参照して説明する。図２は、同空気調和機のフィルター装置の吸引ノズルの構成例を示す外観斜視図、図３は、同吸引ノズルの構成例を示す断面図（図２のＡ−Ａ断面）、図４は、同吸引ノズルの構成例を示す断面図（図２のＢ−Ｂ断面）、図５は、同フィルター装置の吸引ノズルを右端に移動したときの外観斜視図である。
【００２１】
吸引ノズル３は、吸引した風の流通路を構成するノズル８と、ノズル８を囲むように設けられたフィルム９と、フィルム９を支持して駆動力を伝えるギヤ１４と、フィルム９を支持して円滑に駆動させるためのローラー１５ａ、１５ｂ、１５ｃから構成される。
【００２２】
ノズル８のエアフィルター２側の面には、エアフィルター２の縦長さに相当する長さでスリット状のノズル開口部１０が設けてある。一方、フィルム９は、ループ状に形成され、ノズル開口部１０を覆うようにノズル８の外周に巻き付けられ、エアフィルター２側の面は、ノズル開口部１０に相当する開口部１６が設けられたフィルムガイド１７で支持されている。
【００２３】
そして、図４に示すように、フィルム９にはスリット状の吸引孔１１が設けてあり、吸引孔１１の位置がノズル開口部１０に相対する位置に取り付けられている。フィルム９の両端には、等間隔の駆動穴１２が設けられており、ステッピングモータ１３を連結したギヤ１４が、駆動穴１２に噛み合わさることによって、フィルム９は上下方向のいずれにも自在に駆動できるようになっている。
【００２４】
そして、フィルム９の上下への移動と、吸引ノズル３の左右への移動により、フィルム９の吸引孔１１がエアフィルター２の全体を順次移動してエアフィルター２の表面の埃を吸引するようになっている。
【００２５】
そして、吸引ノズル３が動作しないときは、図５のように吸引ノズル３は、支持枠１の右端に移動して停止した状態となり、エアフィルター２は、吸引ノズル３と係わりなく操作が可能な状態となる。
【００２６】
次に、支持枠１とエアフィルター２の構成について図６〜図１５を参照して説明する。
【００２７】
支持枠１は、その外周を構成する外枠１８と、縦横に交錯した複数の連結桟１９で構成され、全体の断面は、略Ｌ形状で、熱交換器（図示なし）の前面側と天面側を被って設けられている。
【００２８】
そして、支持枠１の右側の外枠１８と連結桟１９の接合部分には、少し窪んだ右凹形状部２０が形成され、また支持枠１の左側の外枠１８と連結桟１９の接合部分には、同じく左凹形状部２１が形成されている。また、連結桟１９の中央部分には、右凹形状部２０、左凹形状部２１と同様の中央凹形状部２２が形成される。また、右凹形状部２０、左凹形状部２１、中央凹形状部２２の表面には、複数の引っ掛け穴２３が形成され、その近傍には位置決め穴２４が形成される（図７、図９、図１１参照）。
【００２９】
これらの形状は、中央凹形状部２２を中心にほぼ対称的に構成されており、この中央凹形状部２２の左右にほぼ同一形状のエアフィルター２が一対配置される。
【００３０】
そして、凹形状部２０、２１、２２のそれぞれには、その形状に対応してフィルター押さえ２５ａ、２５ｂ、２５ｃが設けられる。フィルター押さえ２５ａ、２５ｂ、２５ｃは、それぞれの凹形状部２０、２１、２２に相応した大きさでその下部に複数の取付爪２６と位置決め突起２７が設けられており、図８、図１０、図１２のようにその取付爪２６が
引っ掛け穴２３に挿入されて、また位置決め突起２７が位置決め穴２４に挿入されて、それぞれの凹形状部２０、２１、２２の一部を残して被うようにフィルター押さえ２５ａ、２５ｂ、２５ｃが支持枠１に固定される。
【００３１】
つまり、支持枠１のそれぞれの凹形状部２０、２１、２２とそれぞれのフィルター押さえ２５ａ、２５ｂ、２５ｃで、前面上部から天面に繋がる溝形状のレール部２８ａ、２８ｂ、２８ｃが形成される。
【００３２】
また、それぞれのフィルター押さえ２５ａ、２５ｂ、２５ｃの下方には、手掛け凹形状部２９ａ、２９ｂ、２９ｃが設けられ、またさらにその下方には、係合穴３０が設けられる。
【００３３】
手掛け凹形状部２９ａ、２９ｂ、２９ｃは、支持枠１の表面から窪んでおり、その内側側面には、エアフィルター２側に向けて爪掛け穴３１が形成される。すなわち、右側の手掛け凹形状部２９ａには、その左側面に、左側の手掛け凹形状部２９ｂには、その右側面に、中央の手掛け凹形状部２９ｃには、その左右両側面に爪掛け穴３１が形成されている。一方、エアフィルター２は、図１３、図１４のように外枠を構成する樹脂枠３２と、それぞれの外枠を連結した樹脂連結桟３３と、細い網状のフィルター本体３４で一体に構成され、前記支持枠１の表面に接して被うような形状となっている。また、樹脂枠３２の左右上端の側面には、エアフィルター２の先端よりも前方に位置し側面から外側に突き出して円柱体の係止部３５がエアフィルター２の表面よりも下方に設けられている。またその下側左右には、上係合爪３６と下係合爪３７がそれぞれ設けられている。
【００３４】
上係合爪３６は、その引っかかり代を大きく形成していて、単にエアフィルター２を引いただけでは、取り外しができないが、下係合爪３７は、その引っかかり代を小さく形成していて、エアフィルター２を引いただけで外すことができるようになっている。
【００３５】
そして、エアフィルター２は、支持枠１に対して、図８、図１０、図１２のように係止部３５をフィルター押さえ２５ａ、２５ｂ、２５ｃの下側に収め、上係合爪３６を、手掛け凹形状部２９ａ、２９ｂ、２９ｃの爪掛け穴３１に、下係合爪３７を、係合穴３０に収めて支持枠１の前面に密着して配置される。
【００３６】
次に、このように構成されたエアフィルター２の支持枠１への着脱方法について説明する。
【００３７】
装着方法は、まず、エアフィルター２の上部左右の係止部３５を図１５のように支持枠１のフィルター押さえ２５ａ、２５ｂ、２５ｃの下方の手掛け凹形状部２９ａ、２９ｂ、２９ｃに臨ませ、フィルター押さえ２５ａ、２５ｂ、２５ｃの下側の空間に挿入する。
そして、その状態のままエアフィルター２を支持枠１のレール部２８ａ、２８ｂ、２８ｃに沿って（同時にフィルター押さえ２５ａ、２５ｂ、２５ｃの下側に沿って）前面上部から上方の天面へ移動させる。そして、エアフィルター２の先端が支持枠１の上端に達すると、エアフィルター２の全体の面を支持枠１に密着させるようにして、その上係合爪３６と下係合爪３７をそれぞれ支持枠１の手掛け凹形状部２９ａ、２９ｂ、２９ｃの爪掛け穴３１と係合穴３０に臨ませてエアフィルター２の装着は完了する。
【００３８】
また、支持枠１に装着されたエアフィルター２を外すときは、支持枠１の手掛け凹形状部２９ａ、２９ｂ、２９ｃに指先を入れて、エアフィルター２の上係合爪３６を内側に押して爪掛け穴３１から外してそのままエアフィルター２を引くと、下係合爪３７は、そのまま係合穴３０から外れ、また係止部３５は、レール部２８ａ、２８ｂ、２８ｃに沿ってフィルター押さえ２５ａ、２５ｂ、２５ｃの下側を下方に移動して外れる。
【００３９】
このように、エアフィルター２の左右上端に係止部３５を設け、また支持枠１に複数のフィルター押さえ２５ａ、２５ｂ、２５ｃを設けて、前面上部から天面に繋がるレール部２８ａ、２８ｂ、２８ｃを形成したから、エアフィルター２の係止部３５が常に支持枠１のレール部２８ａ、２８ｂ、２８ｃに収まった状態となりエアフィルター２の支持枠１への装着を確実にすることができて、エアフィルター２が支持枠１から浮きあがった状態などの装着不備がなくなり、吸引ノズル３とエアフィルター２の一部が干渉して吸引ノズル３の左右への移動が困難になることもなくて、故障することもない。
【００４０】
また、フィルター押さえ２５ａ、２５ｂ、２５ｃは、複数の取付爪２６と位置決め突起２７のみで固定できるため、装着が簡単で作業性も良好である。
【００４１】
また、エアフィルター２の係止部３５を、エアフィルター２の先端より前方に位置し側面から外側に突き出した円柱体としたから、エアフィルター２の姿勢に係わらず支持枠１のレール部２８ａ、２８ｂ、２８ｃでの移動が容易で摺動性があり、操作性が向上する。また、エアフィルター２の上係合爪３６の引っかかり代を大きく形成したからエアフィルター２の固定をさらに確実に出来る。
【００４２】
（実施の形態２）
本発明の実施の形態２における空気調和機のフィルター装置について図１６〜２２を用いて説明する。なお、上記実施の形態における空気調和機のフィルター装置と同一部分には同一符号を付してその説明を省略する。
【００４３】
本実施の形態における空気調和機のフィルター装置と、実施の形態１におけるそれとは、支持枠１のみが異なり、その他は同じ構成のため、異なる部分についてのみ説明する。
【００４４】
本実施の形態における空気調和機のフィルター装置の支持枠１は、その外周を構成する外枠１８と、右側の外枠１８から内側に形成された右平面座３８ａ、左側外枠１８から内側に形成された左平面座３８ｂと、中央に設けられた中央平面座３８ｃと、それらと連結した複数の連結桟１９で構成され、全体の断面は、略Ｌ形状で、熱交換器（図示なし）の前面側と天面側を被って設けられている。
【００４５】
そして、支持枠１の右側の右平面座３８ａと連結桟１９の接合部分には、下部で数箇所の連結片４０で連結されたスリット形状の右溝形状部３９ａが形成され、また支持枠１の左側の左平面座３８ｂと連結桟１９の接合部分には、同じく下部で数箇所の連結片４０で連結されたスリット形状の左溝形状部３９ｂが形成されている。また、連結桟１９の中央部分には、右溝形状部３９ａと左溝形状部３９ｂと同様に下部で数箇所連結片４０で連結された中央溝形状部３９ｃが形成されている。すなわち、中央溝形状部３９ｃは、中央の中央平面座３８ｃの両側に左右対称の形状で形成されている。
【００４６】
これらの形状は、中央平面座３９ｃを中心にほぼ左右対称的に構成されており、この中央平面座３９ｃの左右にほぼ同一形状のエアフィルター２が一対配置される。
【００４７】
前記右溝形状部３９ａ、左溝形状部３９ｂ、中央溝形状部３９ｃは、前面上部から天面に繋がるエアフィルター２を導くレールの役目をしている。
【００４８】
また、それぞれの溝形状部３９ａ、３９ｂ、３９ｃの下方には、手掛け凹形状部２９ａ、２９ｂ、２９ｃが設けられ、またさらにその下方には、係合穴３０が設けられている。
【００４９】
手掛け凹形状部２９ａ、２９ｂ、２９ｃは、支持枠１の表面から窪んでおり、その内側
側面には、エアフィルター２側に向けて爪掛け穴３１が形成される。
【００５０】
すなわち、右側の手掛け凹形状部２９ａには、その左側面に、左側の手掛け凹形状部２９ｂには、その右側面に、中央の手掛け凹形状部２９ｃには、その左右側面にそれぞれ爪掛け穴３１が形成されている。また、それぞれの手掛け凹形状部２９ａ、２９ｂ、２９ｃからその上部のそれぞれの溝形状部３９ａ、３９ｂ、３９ｃに対して通路が形成されている。
【００５１】
このような支持枠１にエアフィルター２を装着するときは、まず、エアフィルター２の上部左右の係止部３５を、支持枠１の手掛け凹形状部２９ａ、２９ｂ、２９ｃに臨ませ、係止部３５をその溝形状部３９ａ、３９ｂ、３９ｃへ移動させて右平面座３８ａ、左平面座３８ｂ、中央平面座３８ｃの下側の空間に挿入する。
【００５２】
そして、その状態のままエアフィルター２を支持枠１の各溝形状部３９ａ、３９ｂ、３９ｃに沿って前面上部から上方の天面へ移動させる。そして、エアフィルター２の先端が支持枠１の上端に達すると、エアフィルター２の全体の面を支持枠１に密着させるようにして、その上係合爪３６と下係合爪３７をそれぞれ支持枠１の手掛け凹形状部２９ａ、２９ｂ、２９ｃの爪掛け穴３１と係合穴３０に臨ませてエアフィルター２の装着は完了する。
【００５３】
このように、支持枠１の右溝形状部３９ａ、左溝形状部３９ｂ、中央溝形状部３９ｃがレールの役目をなしてエアフィルター２の係止部３５がそれぞれの平面座３８ａ、３８ｂ、３８ｃの下側に収まった状態となりエアフィルター２の支持枠１への装着を確実にすることができて、エアフィルター２が支持枠１から浮きあがった状態などの装着不備がなくなり、吸引ノズル３とエアフィルター２の一部が干渉して吸引ノズル３の左右への移動が困難になることもなくて故障することもない。
【００５４】
また、右溝形状部３９ａ、左溝形状部３９ｂ、中央溝形状部３９ｃが、支持枠１と一体で構成されているから余分な部品が必要なく、また、右、左、中央溝形状部３９ａ、３９ｂ、３９ｃのそれぞれは、その下側で数箇所の連結片４０で連結されているから強度も十分に有している。
【産業上の利用可能性】
【００５５】
以上のように、本発明にかかる空気調和機のフィルター装置は、エアフィルターの装着を安定させると共に埃を自動で清掃できるから、空気清浄機など空気中の埃を集塵するエアフィルターを装着した機器にも適用できる。
【符号の説明】
【００５６】
１  支持枠
２  エアフィルター
３  吸引ノズル
５  吸引ダクト
６  吸引装置
２５ａ〜２５ｃ  フィルター押さえ
２８ａ〜２８ｃ  レール部
３５  係止部
３９ａ  右溝形状部（溝形状部）
３９ｂ  左溝形状部（溝形状部）
３９ｃ  中央溝形状部（溝形状部）
４０  連結片
【図１】
2011158215.tif 000003
【図２】
2011158215.tif 000004
【図３】
2011158215.tif 000005
【図４】
2011158215.tif 000006
【図５】
2011158215.tif 000007
【図６】
2011158215.tif 000008
【図７】
2011158215.tif 000009
【図８】
2011158215.tif 000010
【図９】
2011158215.tif 000011
【図１０】
2011158215.tif 000012
【図１１】
2011158215.tif 000013
【図１２】
2011158215.tif 000014
【図１３】
2011158215.tif 000015
【図１４】
2011158215.tif 000016
【図１６】
2011158215.tif 000017
【図１７】
2011158215.tif 000018
【図１８】
2011158215.tif 000019
【図１９】
2011158215.tif 000020
【図２０】
2011158215.tif 000021
【図２１】
2011158215.tif 000022
【図２２】
2011158215.tif 000023
【図１５】
2011158215.tif 000024